(57)【特許請求の範囲】
【請求項１】
左右の縦枠材及び上下の横枠材によって構成された開口を扉で開閉する収納庫用の戸装置において、
前記縦枠材の夫々に蝶番を介して前側に水平揺動自在に取り付けられた扉と、
前記横枠材に直接又は間接に左右動自在に設けられた少なくとも１本のスライド縦枠材と、
該スライド縦枠材に蝶番を介して前側に水平揺動自在に取り付けられた扉とを備え、
前記全ての扉を用いて前記開口を開閉するように構成してあることを特徴とする収納庫用の戸装置。
【請求項２】
前記スライド縦枠材に軸心を上下方向に向けた回転軸が回転自在に設けられ、
この回転軸の上下端部にピニオンが嵌め止められ、上下のピニオン各々が、上下の横枠材に直接又は間接に設けられた長手方向を左右方向に向けたラックに噛み合わされていることを特徴とする請求項１記載の収納庫用の戸装置。
【請求項３】
前記スライド縦枠材の下端に軸心を前後方向に向けた少なくとも２つの車輪が回転自在に設けられ、
これら車輪が下側の横枠材に直接又は間接に案内されるようになされていることを特徴とする請求項１又は２記載の収納庫用の戸装置。
【発明の詳細な説明】
【０００１】
【発明の属する技術分野】
本発明は収納庫用の戸装置に関する。
【０００２】
【従来の技術】
従来、この種の収納庫用の戸装置として以下の如きものは知られている。
左右の縦枠材及び上下の横枠材によって構成された開口枠と、この開口枠の開口を閉塞する少なくとも３枚の扉とを有しており、一番左側及び一番右側の扉は左右の縦枠材に前側に水平揺動開閉自在設けられ、それ以外の中間の扉が、上下の横枠材に固定された中間の縦枠材に前側に水平揺動開閉自在に設けられたものは知られている。
【０００３】
【従来技術の欠点】
前記従来の収納庫用の戸装置には以下の如き欠点があった。
上下の横枠材に固定された中間の縦枠材（中間の扉を取り付けるためのもの）が開口枠を左右に分断することになるため、収納庫に対する物品出し入れの際、中間の縦枠材が邪魔になるという欠点があった。
【０００４】
【課題を解決するための手段】
本発明は前記欠点を解消するために以下の如き手段を採用した。
請求項１の発明は、左右の縦枠材及び上下の横枠材によって構成された開口を扉で開閉する収納庫用の戸装置において、前記縦枠材の夫々に蝶番を介して前側に水平揺動自在に取り付けられた扉と、前記横枠材に直接又は間接に左右動自在に設けられた少なくとも１本のスライド縦枠材と、該スライド縦枠材に蝶番を介して前側に水平揺動自在に取り付けられた扉とを備え、前記全ての扉を用いて前記開口を開閉するように構成してあることを特徴とする。
請求項２の発明は、前記スライド縦枠材に軸心を上下方向に向けた回転軸が回転自在に設けられ、この回転軸の上下端部にピニオンが嵌め止められ、上下のピニオン各々が、上下の横枠材に直接又は間接に設けられた長手方向を左右方向に向けたラックに噛み合わされていることを特徴とする。
請求項３の発明は、前記スライド縦枠材の下端に軸心を前後方向に向けた少なくとも２つの車輪が回転自在に設けられ、これら車輪が下側の横枠材に直接又は間接に案内されるようになされていることを特徴とする。
【０００５】
【発明の効果】
本発明は前記した如き構成によって以下の如き効果を奏する。
▲１▼請求項１の発明によれば、スライド縦枠材を左右に移動させることによって、開口枠の開口を広くすることが出来る。
▲２▼請求項２の発明によれば、スライド縦枠材を左右に移動させると上下のピニオンが同期回転しつつラックに沿って移動するので、スライド縦枠材の上下端を同期移動させることが出来、その結果、スライド縦枠材をスムーズに移動させることが出来る。
▲３▼請求項３の発明によれば、スライド縦枠材の下端に軸心を前後方向に向けた少なくとも２つの車輪が回転自在に設けられ、これら車輪が下側の横枠材に直接又は間接に案内されるようになされているので、スライド縦枠材をスムーズに移動させることが出来る。
【０００６】
【発明の実施の形態】
以下に本発明の実施の形態を図面を参照しつつ説明する。
なお、この説明において、前とは図１紙面表側を、後とは同裏側をいい、左とは図１左側を、右とは同図右側をいう。
【０００７】
部屋に造り付けられた収納庫本体（図示略）の前面の開口の縁部に取り付けられるようになされた、収納庫用の戸装置１の開口枠２は、左右の縦枠材３及び上下の横枠材４を有している。
前記開口枠２の開口６は、少なくとも３枚、具体的には４枚の扉７Ａ、７Ｂ、７Ｃ、７Ｄによって閉塞されるようになされている。
【０００８】
前記一番左側の扉７Ａは、左側の縦枠材３に公知の蝶番（図示略）を介して前側に水平揺動開閉自在に設けられている。
前記一番右側の扉７Ｄは、右側の縦枠材３に公知の蝶番（図示略）を介して前側に水平揺動開閉自在に設けられている。
【０００９】
前記扉７Ｂ及び扉７Ｃは、後で詳述する構造によって上下の横枠材４に左右動自在に設けられたスライド縦枠材９に、公知の蝶番（図示略）を介して前側に水平揺動開閉自在に設けられている。更に詳述すれば、扉７Ｂの右端部がスライド縦枠材９に、扉７Ｃの左端部がスライド縦枠材９に公知の蝶番（図示略）を介して前側に水平揺動開閉自在に設けられている。
【００１０】
前記上側の横枠材４に案内溝を有する上側ガイドレール１０が長手方向を左右方向に向けるようにして且つ案内溝の開口が下側を向くようにして取り付けられ、下側の横枠材４に案内溝を有する下側ガイドレール１１が長手方向を左右方向に向けるようにして且つ案内溝の開口が上側を向くようにして取り付けられている。
前記上側ガイドレール１０及び下側ガイドレール１１は、それらの長さはＬ（図１参照）で、左右の縦枠材３の間に渡るようになされている。
【００１１】
前記スライド縦枠材９は、アルミニウム等の押出型材からなる本体１６と、この本体１６の上端に公知の固定手段によって固定された上側ブロック１７と、本体１６の下端に公知の固定手段によって固定された下側ブロック１８とを有している。
前記上側ブロック１７には、軸心を上下方向に向けた所要個のローラー２０が回転自在に設けられ、これらローラー２０が上側ガイドレール１０の案内溝に嵌められている。
前記下側ブロック１８には、軸心を前後方向に向けた、少なくとも２つ、具体的には２つのローラー２１がブラケット２２を介して回転自在に設けられ、これらローラー２０の中央の径大部が下側ガイドレール１１の案内溝に嵌まり、前後の径小部が案内溝の縁部に載せられている。
【００１２】
前記スライド縦枠材９に軸心を上下方向に向けた回転軸２５が回転自在に設けられ、この回転軸２５の上下の端部２５ａにピニオン２６は嵌め止められている。
上側のピニオン２６は、上側ガイドレール１０の前壁内面に長手方向を左右方向に向けるようにして設けられた上側のラック２７に噛み合わされている（図２及び図３参照）。
下側のピニオン２６は、下側ガイドレール１１の前壁内面に長手方向を左右方向に向けるようにして設けられた下側のラック２７に噛み合わされている（図４及び図５参照）。
前記上下のラック２７は、それらの長さはＬ（図１参照）で、左右の縦枠材３の間に渡るようになされている。
【００１３】
前記スライド縦枠材９の下部には、ストッパー３１が上下動自在に設けられ、ストッパー３１の上端には操作つまみ３２が設けられ（図７及び図１参照）、また、ストッパー３１はばね（図示略）によって下向きに付勢されている。なお、ばねによって下向きに付勢されたストッパー３１が当接する当接片（図示略）が本体１６に設けられ、この当接片（図示略）にストッパー３１が当たった状態においてストッパー３１の下端は下側の横枠材４に当接しないようになされている。
扉７Ａ〜扉７Ｄが閉じた状態において（図１の状態において）、ストッパー３１が対向する下側の横枠材４にストッパー３１の下端部が嵌まる凹所を有するストッパー受け３４が取り付けられ、ストッパー３１をストッパー受け３４に係合させることにより、スライド縦枠材９をその位置でロックし得るようになされている。なお、スライド縦枠材９を左右いずれかに移動させる際は、ストッパー３１を上側に引き上げて、ストッパー受け３４から外せばよい。
【００１４】
全ての扉７Ａ〜７Ｄを開いて、スライド縦枠材９を左側又は右側に移動させることによって、開口６を広くすることが出来る。
【００１５】
【変形例等】
以下に変形例等について説明を加える。
（１）戸装置１が取り付けられる収納庫本体は、部屋に造り付けのものでなく、部屋に載置される収納家具の本体であってもよい。なお、戸装置１は収納庫本体と一体に製造されることもある。
（２）戸装置１の開口６は、一般的には、スライド縦枠材９に設けられた扉を含む戸によって閉塞されるが、常にそうである必要はない。なお、如何なる場合も、スライド縦枠材９に設けられた扉と逆の側には、スライド縦枠材９が移動することによってスライド縦枠材９に設けられた扉によって閉塞される開口と一連となる開口が存在するように構成される。
（３）実施の形態において、扉７Ｃを無くしてもよく、また、扉７Ｄを無くしてよい。
（４）図１の状態からスライド縦枠材９を右又は左の一方にのみ移動させるようにしてもよい。その場合、スライド縦枠材９が移動しない側の上側ガイドレール１０、下側ガイドレール１１及びラック２７は、なくてもよい。
（５）ストッパー機構の構造は任意である。
（６）上側ガイドレール１０を無くして上側の横枠材４に案内溝を形成するようにしてもよい。また、下側ガイドレール１１を無くして下側の横枠材４に案内溝を形成するようにしてもよい。
【図面の簡単な説明】
【図１】本発明の実施の形態を示す一部破砕の正面図である。
【図２】図１のＡ部分の拡大断面図である。
【図３】図２のＩＩＩ−ＩＩＩ線断面図である。
【図４】図１のＢ部分の、ストッパー機構を省略した拡大断面図である。
【図５】図４の、ストッパー機構を含むＶ−Ｖ線断面図である。
【図６】図５のＶＩ−ＶＩ線断面図である。
【図７】図６のＶＩＩ−ＶＩＩ線断面図である。
【符号の説明】
１  戸装置
２  開口枠
３  縦枠材
４  横枠材
６  開口
７Ａ  扉
７Ｂ  扉
７Ｃ  扉
７Ｄ  扉
９  スライド縦枠材
【図１】
0003812790.tif 000002
【図２】
0003812790.tif 000003
【図３】
0003812790.tif 000004
【図４】
0003812790.tif 000005
【図５】
0003812790.tif 000006
【図６】
0003812790.tif 000007
【図７】
0003812790.tif 000008